(57)【要約】本発明は分散無線リソース管理においてマルチキャスト／ブロードキャストサービスを統制するための方法を提供する。その方法の一実施例は、無線リソース管理の責任を持つ複数の装置間で情報を通信するステップを含む。通信された情報は、複数の装置によって提供されたマルチキャストサービス／ブロードキャストサービスの少なくとも１つを統制することに関係する。【選択図】図３
2009540760.tif 000002
【特許請求の範囲】
【請求項１】
分散無線リソース管理においてマルチキャスト／ブロードキャストサービスを統制するための方法であって、
無線リソース管理の責任を持つ複数の装置間で情報を通信するステップであって、通信された該情報が、該複数の装置によって提供されたマルチキャストサービス及びブロードキャストサービスの少なくとも１つを統制することに関係する、ステップ
からなる方法。
【請求項２】
請求項１の方法において、前記装置間で情報を通信するステップが、前記少なくとも１つのマルチキャスト／ブロードキャストサービスに関連する送信を同期させるために使用される情報を通信するステップからなり、該同期の情報を通信するステップが、リソースブロック、該リソースブロックの割当て、変調及び符号の選択、スケジューリング時間、スケジューリング間隔並びにデータレートの少なくとも１つを示す情報からなる少なくとも１つの無線リソース割当て戦略を通信するステップからなる方法。
【請求項３】
請求項２の方法であって、前記少なくとも１つの無線リソース割当て戦略を該装置間で交渉するステップを含む方法。
【請求項４】
請求項１の方法であって、
少なくとも１つのグローバル無線リソース割当て戦略を該装置に提供するステップ、及び
予め定義された無線リソース割当てポリシーを該装置間で確立するステップ
からなる方法。
【請求項５】
請求項１の方法であって、少なくとも１つの移動体装置からサービスリクエストを受信することに応じて、該複数の装置を用いて前記少なくとも１つのブロードキャスト又はマルチキャストサービスを提供するステップからなる方法。
【請求項６】
請求項５の方法において、前記装置間で情報を通信するステップが、該サービスリクエストを受信することに応じて該装置間で該情報を通信するステップ、及び該サービスリクエストを受信することに応じて該装置間で少なくとも１つの無線リソース割当て戦略を交渉するステップからなる方法。
【請求項７】
請求項６の方法であって、
少なくとも１つの移動体装置からサービス再構成リクエストを受信することに応じて前記少なくとも１つの無線リソース割当て戦略を再交渉するステップ、
少なくとも１つの移動体装置から終了リクエストを受信することに応じて前記少なくとも１つのマルチキャストサービスを終了するステップ、及び
前記少なくとも１つのマルチキャストサービスを終了することに応じて前記少なくとも１つの無線リソース割当て戦略によって示されたリソースの割当てを解除するステップ
からなる方法。
【請求項８】
請求項５の方法において、前記少なくとも１つのマルチキャスト又はブロードキャストサービスを提供するステップが、複数のマルチキャスト又はブロードキャストサービスを提供するステップからなる方法。
【請求項９】
請求項８の方法において、前記複数のマルチキャスト又はブロードキャストサービスを提供するステップが、該複数のマルチキャスト又はブロードキャストサービス各々を異なる送信時間間隔に割り当てることによって該複数のマルチキャスト又はブロードキャストサービス間での無線リソースの競合を回避するように該複数のマルチキャスト又はブロードキャストサービスを統制するステップからなる方法。
【請求項１０】
請求項８の方法において、該複数のマルチキャストサービスを統制するステップが、該複数のマルチキャスト又はブロードキャストサービス各々を無線リソースのプールから動的に割り当てるステップからなる方法。
【発明の詳細な説明】
【技術分野】
【０００１】
本発明は概略として通信システムに関し、より具体的には無線通信システムに関する。
【背景技術】
【０００２】
セルラ電話のような無線電気通信の分野では、図１に示す標準システム１００は階層的アーキテクチャであり、システムによってサービスされるエリア内に分散された複数の基地局１３０（ノードＢ）を含む。そのエリア内の種々のアクセス端末（ユーザ機器（ＵＥ）、移動体装置その他として知られるＡＴ）は公衆交換電話システム（ＰＳＴＮ）１６０及びデータネットワーク１２５のようなシステム、即ち、相互接続された他の電気通信システムに１以上の基地局１３０を介してアクセスする。ＡＴは通常、エリアを通過するときに、ＡＴが移動するにつれて基地局から基地局へと通信することによってシステムとの通信を維持する。ＡＴは最も近い基地局、最も強い信号の基地局、通信を受け入れるのに充分な容量を持つ基地局等と通信することになる。基地局１３０はこれに対して、コアネットワーク１６５におけるパケットデータサービングノード（ＰＤＳＮ）１６４と通信する無線ネットワークコントローラ（ＲＮＣ）１３８と通信する。各ＲＮＣ１３８及びＰＤＳＮ１６４は複数の基地局１３０をサポートすることができる。従って、ＡＴ１２０は移動し、異なる基地局１３０と通信するので、異なるＲＮＣ１３８及びＰＤＳＮ１６４と通信することにもなる。
【０００３】
ＡＴ１２０と基地局１３０の間の無線リンクは通常は無線リンクといわれ、ユニバーサル移動体電話システム（ＵＭＴＳ）のようなシステムにおいて、無線リンクの統制のほとんどはＲＮＣ１３８によって比較的中央化された方式で取り扱われる。例えば、ＡＴ１２０のある基地局１３０から他の基地局へのハンドオフＲＮＣ１３８によって決定される。同様に、それら双方の近さによって、基地局１３０は双方間を干渉する信号を発生し得る。アプリケーションによっては、ＲＮＣ１３８がこの種の干渉を低減又は最小化するようにいくつかの基地局１３０の送信を制御する。
【０００４】
しかし、産業界は、分散無線リソース管理（ＲＲＭ）アーキテクチャを有するＲＮＣ１３８の使用とは逆行してＵＭＴＳを進化させようとしている。ＲＲＭ機能が異なる物理的位置に配置されるので、分散ＲＲＭアーキテクチャではハンドオフ及び干渉軽減の複雑さが増してしまう。さらに、従来の分散ＲＲＭアーキテクチャは、マルチメディア・ブロードキャスト・マルチキャスト・サービス（ＭＢＭＳ）によるマルチキャスト／ブロードキャスト送信中に複数のノードＢの統制を許可しない。従って、従来の分散ＲＲＭアーキテクチャは、マルチキャスト／ブロードキャスト送信を受信する各移動体装置において、異なるノードＢからの信号を合成するマクロダイバシティにおけるよく知られる有利な効果を得ることができない。
【発明の開示】
【課題を解決するための手段】
【０００５】
本発明は上記の問題の１以上の効果に対処することに向けられている。以下は、本発明のいくつかの側面の基本的理解を提供するために発明の簡単な概要を示すものである。概要は発明の網羅的な全体像ではない。これは発明の鍵となる若しくは重要な要素を特定すること又は発明の範囲を描写することを意図するものではない。その本来の目的は、後述する詳細な説明の前置きとして簡略化された形式でいくつかの概念を示すものである。
【０００６】
本発明の一実施例において、分散無線リソース管理におけるマルチキャスト／ブロードキャストサービスのための無線リソースの制御を統制するための方法が提供される。その方法の代表的一実施例は、無線リソース管理責任を持つ複数の装置間で情報を通信することを含む。
【０００７】
本発明は以下の説明を添付図面との関連で参照することにより理解される。図面では同様の符号は同様の要素を特定する。
発明は様々な変形例や代替の形式に影響を受けるものであるが、その特定の実施例は図面に例示として示され、ここに詳細が記載される。しかし、特定の実施例の本記載は開示された特定の形式に発明を限定することを意図するものではなく、逆に、特許請求の範囲によって規定される発明の精神と範囲に入る全ての変形例、等価物及び代替物を権利範囲に含むことを意図するものである。
【発明を実施するための最良の形態】
【０００８】
本発明の例示的実施例が以下に記載される。説明の明確化のために、実際の実装における全ての構成がこの明細書に記載されているわけではない。もちろん、そのようなあらゆる現実の実施例の開発において、実施に特有の多数の決定が、システム関連及び事業関連の規制への準拠のような開発者の特定の目標を達成するためになされ、それは実施によって異なり得るものであることが分かるはずである。さらに、そのような開発の労力は複雑で時間のかかるものではあるが、それでも本開示の利益を得た当業者にとっては普通の試行といえる。
【０００９】
本発明及び対応する詳細な説明の部分は、コンピュータメモリ内のソフトウェア、又はデータビット上の動作のアルゴリズム及びシンボル表示として開示される。これらの記載及び表現は当業者がそれによって効果的に彼らの仕事の本質を他の当業者に伝えることができるものである。ここで使用され、及び一般に使用される用語として、アルゴリズムは所望の結果を導くステップの自己整合シーケンスとみなされる。ステップは物理量の物理的操作を要するものである。通常は、必ずではないが、これらの量は記憶され、転送され、結合され、比較され、あるいは操作されることができる光学的、電子的又は電磁的信号の形式をとる。これらの信号をビット、値、要素、シンボル、文字、語、番号その他で言及することは、基本的にこれは共通的に使用されるものなので時に便利なものである。
【００１０】
なお、これら及び類似の用語の全ては適切な物理量に関連付けられ、単にこれらの量に適用される便利なラベルであることを注記する。特に別の意味を注記しない限り、又は説明から明らかな場合、「処理する」、「計算する」、「決定する」、「表示する」等の文言は、コンピュータシステムのレジスタ及びメモリ内で物理的、電子的量として表されるデータを操作するとともに、コンピュータシステムのメモリ若しくはレジスタ又は他のそのような情報記憶、送信若しくは表示装置内で物理量として同様に表される他のデータに変換するコンピュータシステム又は類似の電子的計算装置の動作及び処理をいう。
【００１１】
また、本発明のソフトウェアの実施側面は通常、何らかの形式のプログラム記憶媒体で符号化され、又は何らかのタイプの伝送媒体上で実施される。プログラム記憶媒体は電磁的なもの（例えば、フロッピー（登録商標）ディスク又はハードドライブ）又は光学的なもの（例えば、コンパクトディスク読取り専用メモリ、即ち「ＣＤ  ＲＯＭ」）であればよく、ＲＯＭであってもＲＡＭであってもよい。同様に、伝送媒体は拠り線対、同軸ケーブル、光ファイバ、又は何らかの他の適切な公知の伝送媒体であればよい。発明は所与の実施のこれらの側面によって限定されるものではない。
【００１２】
本発明が添付図面を参照してここに記載される。種々の構造、システム及び装置は、説明の便宜のため、及び当業者に周知の詳細事項によって本発明を分かりにくくしないようにするために模擬的に図示されている。それでもなお、添付図面は本発明の例示的実施例を記載し、説明するために含まれる。ここで使用される語句及び表現は、当業者によるそれらの語句及び表現の理解に従う意味を有するものと解釈されるものとする。その用語又は表現の矛盾ない使用によって示唆されることを意図する用語又は表現の特別な定義、即ち、当業者によって理解される通常の及び慣例に従う意味と異なる定義はない。用語又は表現が特別の意味、即ち、当業者によって理解されるもの以外の意味を有することを意図する限りは、そのような特別の定義は、直接的及び等価的に特別の定義をその用語又は表現に与える定義様式で明細書中に記載される。
【００１３】
図面の特に図２Ａを参照すると、本発明の一実施例による通信システム２００が示されている。説明の便宜のため、図２の通信システム２００はユニバーサル移動体電話システム（ＵＭＴＳ）ロング・ターム・エボリューション（ＬＴＥ）であるが、本発明はデータ及び／又は音声通信をサポートする他のシステムにも適用できることが分かる。ＵＭＴＳ・ＬＴＥシステム２００は図１のＵＭＴＳシステム１００に類似する部分もあるが、本質的に基地局１３０及びＲＮＣ１３８に関する本発明の動作において異なる。通信システム２００によって１以上のアクセス端末（ＡＴ）１２０が、アクセスゲートウェイ（ＡＳＧＷ）２３８に結合された１以上の改善されたノードＢ（ｅノードＢ）２３０と通信することが可能となる。ＡＳＧＷ２３８はその後、ＰＳＴＮ１６０及び／又はデータネットワーク１２５（図１参照）と通信する責任を持つ。機能上、通信システム２００は通信システム１００とは少なくとも無線リソース管理ＲＲＭの観点で異なる。通信システム１００では、ＲＲＭは主としてＲＮＣ１３８によって有効なものとなっていた。一方、通信システム２００では、ＲＲＭ機能がｅノード２３０に分散されてきた。
【００１４】
統制されたＲＲＭ方式は、ＬＴＥにおいてＲＲＭ機能が分散され、最小限のシグナリング遅延が要件となるときに、セル間で共同無線リソース管理及び性能最適化のためのメカニズムを定義する。統制されたＲＲＭ方式によって異なるＲＲＭ機能間の統制が可能となり、分散ＲＲＭ構造において同時にハンドオーバー手順及び干渉統制技術を実行することができる。通信システム２００のための統制されたＲＲＭ方式は少なくとも３つの事項：第１に隣接又は近隣ｅノード２３０の送信によって引き起こされる干渉を低減すること、第２に１つのｅノード２３０から他のｅノード２３０へのＡＴ１２０のハンドオフ中の干渉を低減すること、第３に、通信システム２００による１以上のＡＴ１２０に提供されるマルチキャスト／ブロードキャストの準備を統制すること、において有用となる。
【００１５】
ハンドオーバー中の負荷に基づくハンドオーバー及び干渉統制の再構成のような複数セルＲＲＭ決定はＵＭＴＳ・ＬＴＥアーキテクチャにおいて有用な機能である。複数のセルに基づくＲＲＭ決定を行うことは、リソース割当て及びシステム性能全体に有益であると考えられる。一方、複数のセルを考慮するときに潜在的な競合するＲＲＭ決定を回避するのに有益なことが多い。競合するＲＲＭ点についての潜在的問題はＲＲＭ決定をＲＲＭ機能間で統制することによって回避でき、これは提唱する統制ＲＲＭ方式における課題の一つである。
【００１６】
統制ＲＲＭ方式は相互ＲＲＭ通信プロトコル、結合管理のための無線リソース要素及び機能、並びに結合無線リソース管理のための決定機能を規定する。統制ＲＲＭ方式において定義された機能によって、システムがクラスタ内で結合的にリソース管理を実行し、ＲＲＭ機能間のあらゆる競合する決定を回避又は少なくとも実質的に減らすことが可能となる。統制ＲＲＭ方式はクラスタ内の潜在的に複数となるベンダーＲＲＭの統制を、各分散ノードで稼動する実際のＲＲＭアルゴリズムを特定することなく実行する。
【００１７】
統制ＲＲＭ方式の１つの機能は、相互ＲＲＭ通信のためのプロトコルを確立することを関与させる。階層ネットワーク構造におけるＲＲＭ機能は普通はＵＭＴＳ内の分散ノード（例えば、基地局のＨＳＰＤＡにおける電力管理）における分散された副機能とともに中央集中位置（例えば、ＲＮＣ）にある。相互ＲＲＭ通信は基地局とＲＮＣの間のクライアントサーバ一対一通信である。ＲＲＭ機能の大部分はＲＮＣ内にある。しかし、ＵＭＴＳ・ＬＴＥ内で予想されるＲＲＭ機能の大部分がｅノードＢ２３０にあるので、相互ＲＲＭ通信は複数の能力を持つ分散プロトコル設計となる。ＵＭＴＳ・ＬＴＥにおける相互ＲＲＭ通信プロトコルはピアトゥピア、一対多、及びブロードキャスト通信をサポートすることができる。
【００１８】
ピアトゥピア通信によって、中央集中ノード（ＲＲＭサーバ又はＲＮＣ）を通過することなくクラスタ内の２つのｅノードＢ２３０間の直接交渉を関与させる相互ＲＲＭ通信が可能となる。ピアトゥピア通信能力によって、処理遅延を減少させ、システムリソース制御を結合的に最適化できることになる。ピアトゥピアＲＲＭ通信の典型例は２つのｅノードＢ２３０間でのハンドオーバーである。２つのｅノードＢ２３０間での直接ＲＲＭ通信によって、ハンドオーバー処理を迅速化し、ハンドオーバー中の潜在的な性能低下を軽減することになる。以下に詳述するように、一対一通信が、マルチキャスト／ブロードキャストサービスを提供するための無線リソース割当ての戦略を交渉又は通信するために使用されてもよい。
【００１９】
一対多通信能力によってｅノードＢ２３０が他の多数のノードと同時に相互ＲＲＭ交渉を行うことが可能となる。一対多ＲＲＭ通信が、無線リソース管理に関係するノード間での競合する決定の可能性を最小化するために使用されてもよい。一対多ＲＲＭ通信の典型例はユーザ移動に対するリソース割当てである。ハンドオーバーリクエストの最初のトリガは複数のｅノードＢ２３０及びＡＳＧＷ２３８を関与させることになる。一対多相互ＲＲＭ通信によって、サービングｅノードＢ２３０がハンドオーバーリクエストを関与する全てのノードに対して同時に直接トリガすることが可能となる。以下に詳述するように、他の例の一対多通信は、ｅノードＢ２３０がマルチキャスト／ブロードキャストサービスを提供するための無線リソース割当て戦略を交渉又は通信するときに起こる。
【００２０】
ブロードキャスト通信能力によって、ｅノードＢ２３０が再構成パラメータのリクエストをクラスタ内の他のＲＲＭ機能に同時にブロードキャストすることが可能となる。ブロードキャスト能力によって、何らかの構成変更についてＲＲＭがリクエストを直ちにクラスタ内の他のＲＲＭに対してトリガすることが可能となる。相互ＲＲＭ通信プロトコルにおけるブロードキャスト能力の典型例は、進行中の干渉緩和対策の異常な状態又は深刻な劣化をあるＲＲＭが検出したときの干渉緩和対策の再構成である。以下に詳述するように、ブロードキャスト能力は、ＡＴ１２０からの再構成リクエストに応答してマルチキャスト／ブロードキャストサービスを提供するための無線リソース割当て戦略の再構成をトリガするために使用される。
【００２１】
相互ＲＲＭ通信は結合的な無線リソースの最適化に必要なエンティティを指定することができる。ＲＲＭエンティティは、各ノードにおける正確なＲＲＭアルゴリズムを指定することなくＲＲＭ間でオンデマンドで予め構成され、又はリクエストする。無線リソースエンティティは、周波数領域、干渉レベル、セルの負荷、無線ベアラ、測定値等となる。無線リソースエンティティは、それ自身のリソースを他のセルからの無線情報で管理するためにＲＲＭ機能をアシストするよう定義される。
【００２２】
決定機能がシステム２００に実装されてもよい。決定機能は、無線リソース構成及び制御の決定を行うために受信されたＲＲＭエンティティに基づいて値又は統計を独立して計算するアルゴリズムである。決定機能は、相互ベンダーＲＲＭ通信のためのＲＲＭアルゴリズムから独立していてもよい。決定機能は無線リソース再構成又は再割当てをトリガするために指定され得る。決定機能の一般例はハンドオーバーのためのしきい値機能である。決定機能はハンドオーバー処理中にｅノードＢ２３０間で送信されているハンドオーバートリガ用しきい値によって指定され得る。相互ＲＲＭ通信プロトコル、無線リソースエンティティ及び決定機能が明確に定義されると、個々のノードのＲＲＭ機能は相互セルＲＲＭ統制に基づいて独立して引き出される。これによって無線リソースの利用全体の最適化を補助することになる。
【００２３】
統制ＲＲＭ方式は、ＬＴＥにおけるハンドオーバー中の干渉緩和技術をサポートするよう分散ＲＲＭ機能を統制するための相互ＲＲＭ通信を提供するのに有用である。干渉緩和技術のためのＲＲＭ機能はｅノードＢ２３０に位置し、セルのエッジにいるユーザに対して干渉レベルを緩和するために、ＵＭＴＳ・ＬＴＥ内のセル間で静的、準静的、又は動的な態様で無線リソースの統制を必要とする。システム負荷が大きく変化しているとき、又は負荷不均衡の状況において、干渉緩和は再構成される。システム負荷はハンドオーバーが起こるときに大きく変化する。干渉緩和はセルのエッジの負荷の動性にも影響を受ける。干渉緩和技術を扱うＲＲＭ機能は他のセルのＲＲＭ又はＲＲＭサーバと通信して、ｅノードＢ２３０におけるＲＲＭ及び干渉統制アルゴリズムを明示的に指定することなく干渉緩和パラメータを再構成する。ハンドオーバー期間中、移動管理及びハンドオーバー処理の取扱いのためのＲＲＭが実行されその位置は中央ノードにあり、又はサービング基地局及びターゲット基地局間でハンドシェークする。統制されたＲＲＭ方式における規定された相互ＲＲＭ通信プロトコル、無線リソースエンティティ及び決定機能によって、分散ＲＲＭ機能間の相互作用が干渉統制アルゴリズム及びハンドオーバー手順を同時に実行することが可能となる。ハンドオーバー手順が起こりアンバランスなシステム負荷となるときに、統制ＲＲＭ方式は、干渉緩和対策がセル間の無線リソースの再分配をトリガすることを可能とする。
【００２４】
統制されたＲＲＭ方式はｅノードＢ２３０からＡＴ１２０へのマルチキャスト／ブロードキャストサービスの供給を統制するのに使用されることもある。一実施例では、統制されたＲＲＭ方式によって複数のｅノードＢ２３０がマルチキャスト／ブロードキャストサービスをほぼ同時にＡＴ１２０の１以上に提供することが可能となる。例えば、以降に詳述するように、ｅノードＢ２３０はマルチキャスト／ブロードキャストサービスのための無線リソース割当て戦略を交渉する。その結果、ＡＴ１２０はマクロダイバシティ結合を利用してマルチキャスト／ブロードキャストサービスの品質を向上する。種々の他の実施例では、複数のｅノードＢ２３０からのマクロダイバシティ結合は本来的な態様として空中での結合として実現され、又はＡＴ１２０における明示的な処理によって実施され得る。ここで使用する用語「ほぼ同時に」とは、マルチキャスト／ブロードキャストサービスが、マクロダイバシティ結合が実施される程度に同期されることを意味するものとする。そして、本開示の利益を受けた当業者であれば、マクロダイバシティ結合の有利な効果の一部又は全部を達成するために、信号が厳密には同時でなくてもよい（及び、その必要もない）ことが分かるはずである。マクロダイバシティ結合を実施するための技術は本技術分野においては公知であり、ここでは、明確さの観点のみにおいて、本発明に関係するマクロダイバシティ結合の特徴が記述される。
【００２５】
図２Ｂを参照すると、概略として、各ｅノードＢ２３０又はＡＳＧＷ２３８はＡＴ１２０へのマルチキャスト／ブロードキャストサービスの供給を統制するために通信することができる。ｅノードＢ２３０及び／又はＡＳＧＷ２３８間の通信及び／又は交渉は上述のリソース管理プロトコルを用いて実行される。一実施例では、通信システム２００によって提供されるマルチキャスト／ブロードキャストサービスはグローバルブロードキャスティング及びローカルブロードキャスト／マルチキャストサービスを含む。グローバルブロードキャスティングサービスは通信システム２００におけるｅノードＢ２３０の全部又は大部分を用いてほぼ連続的に提供される。例えば、グローバルブロードキャスティングサービスは２４時間ニュースサービスのような大量に使用されるマルチキャスト／ブロードキャストサービスをブロードキャストするのに使用され得る。ローカルブロードキャスト／マルチキャストサービスは通信システム２００のｅノードＢ２３０のサブセット又はクラスタを用いてリクエストによって提供され得る。例えば、ローカルブロードキャスト／マルチキャストサービスはあまりポピュラーでないマニアックなサービス（又はペイパービューイベントのような限られた期間中に提供されるサービス）を個人ユーザ又はユーザの小グループに提供するために使用され得る。
【００２６】
矢印２４０で示すように、ＡＳＧＷ２３８によって無線リソース割当て戦略がｅノードＢ２３０に対して準備される。準備された無線リソース割当て戦略は、１以上のリソースブロック、及び／又はこれらのリソースブロックがブロードキャスト／マルチキャストサービスを提供するためにどのように割り当てられるべきかを示す情報を含む。準備された無線リソース割当て戦略はマルチキャスト／ブロードキャストサービス、マルチキャスト／ブロードキャストサービスのためのスケジューリング時間、マルチキャスト／ブロードキャストサービスが提供される間のスケジューリング間隔、及びマルチキャスト／ブロードキャストサービスを提供するためのデータレートを含んでいてもよい。一実施例では、ＡＳＧＷ２３８によってｅノードＢ２３０に対して準備された無線リソース割当て戦略は、グローバルブロードキャスト／マルチキャストサービスを提供するためのグローバル無線割当て戦略である。グローバル無線リソース割当て戦略はシステム初期化においてｅノードＢ２３０に予め準備され得る。グローバル無線リソース割当て戦略が準備され、グローバルマルチキャストサービスがトリガ及び構成されると、統制されたスケジューリング戦略によって、ｅノードＢ２３０及び／又はＡＳＧＷ２３８間でのハンドシェークを要しない自動的な無線リソース割当てが可能となる。
【００２７】
ｅノードＢ２３０はまた、それら自身と、ＡＳＧＷ２３８に実装されたユーザ・プレーン・エンティティ（ＵＰＥ）機能のような、ノードの１つとしてみなされる中央制御ノードとの間で無線リソース割当て戦略を統制及び／交渉する。一実施例では、統制ＲＲＭ方式は、ｅノードＢ２３０のクラスタ内の分散ＲＲＭ機能の決定を統制することによって、クラスタ無線リソース制御を結合的に最適化するよう試みる。スケジューリング戦略は、マルチキャスト／ブロードキャスト（例えば、ｅ−ＭＢＭＳ）サービスのための相互ＲＲＭ通信用のプロトコルを介してマルチキャスト／ブロードキャストルーティングするためにｅノードＢ２３０とＡＳＧＷ２３８間で通信される。スケジューリング統制は、直交周波数分割多重アクセス（ＯＦＤＭＡ）システムにおけるリソースブロック及び割当てのような無線リソース割当て戦略、変調及び符号化の選択（ＭＣＳ）、スケジューリング時間、スケジューリング間隔並びに関連するデータレートを各マルチキャスト／ブロードキャストサービスについて定義することによって実現される。一実施例では、無線リソース割当て戦略は各マルチキャスト／ブロードキャストサービスの初期化中に予め定義され、各マルチキャスト／ブロードキャストサービスは関連するマルチキャスト／ブロードキャストサービス識別子（例えば、ｅ−ＭＢＭＳ・ＩＤ）を有する。各マルチキャスト／ブロードキャストサービスは予め定義された各リソースブロック割当てに関連するデータレートのセットを含み得る。
【００２８】
ｅノードＢ２３０は、（矢印２５０で示すように）共通の無線リソース割当て戦略を統制し、交渉し、及び／又は合意するために使用される情報を交換する。説明の実施例では、スケジューリング戦略は、（マルチキャスト／ブロードキャストサービスを提供するグループ又はクラスタ内のｅノードＢ２３０のような）関与するｅノードＢ２３０間で、一対一通信、一対多通信、ブロードキャスト通信等を用いて相互ＲＲＭ通信プロトコルを介して交渉される。戦略が合意されると、クラスタ又はグループ内のｅノードＢ２３０各々に実装されたスケジューラ（不図示）は、予め構成された無線リソースブロックを所定の時間及びデューティサイクルにデータレートに基づいて所定のマルチキャスト／ブロードキャストサービス（例えば、ｅ−ＭＢＭＳ・ＩＤ（識別）によって示されたマルチキャスト／ブロードキャストサービス）に割り当てる。その後ｅノードＢ２３０はその交渉された無線リソース割当て戦略を用いてマルチキャスト／ブロードキャストサービスの提供を、マクロダイバシティ結合を許可する態様で統制する。例えば、ＬＴＥ・ｅ−ＭＢＭＳサービスを提供するｅノードＢ２３０の場合、ほぼ同期してスケジューリングされたｅノードＢ２３０間の送信が、最適なｅ−ＭＢＭＳ性能のためにＡＴ１２０でマクロダイバシティ結合受信されることになる。
【００２９】
一実施例では、マルチキャスト／ブロードキャストサービスがリクエストされなかった場合には、割り当てられた無線リソースは他の目的のために使用される。例えば、ｅ−ＭＢＭＳデータが予め構成された時間に到着しなかった場合、予め割り当てられたリソースブロックはユニキャストデータサービスのために開放されてもよい。無線リソースの割当て及び／又は再割当てをそれらが必要とされる前に少なくともある程度促進するために、スケジューリング又は割当てされた送信時間又は時間間隔に先立って、マルチキャスト／ブロードキャストサービスデータがＵＰＥによってクラスタ又はグループ内のｅノードＢ２３０にルーティングされて過度のｅ−ＵＴＲＡ遅延を防止するようにしてもよい。
【００３０】
システム２００は複数のマルチキャスト／ブロードキャストサービスを提供し、統制することもできる。一実施例では、複数のｅ−ＭＢＭＳサービス間で無線リソースを争奪することを回避するために時分割多重を用いてサービス提供されるように複数のｅ−ＭＢＭＳサービスが統制される。例えば、異なるマルチキャスト／ブロードキャストサービス間でのリソースの競合を回避するために、ｅノードＢ２３０はデューティサイクル間で異なる送信時間間隔（ＴＴＩ）で各ｅ−ＭＢＭＳサービスに割り当てられる。複数のｅ−ＭＢＭＳサービスは、データ到着に基づいて無線リソースのプールから動的な割当てを用いてサービス提供されるように統制される。例えば、無線リソースは、無線リソース割当て戦略（動作中に予め定義又は交渉されたもの）に基づいてｅ−ＭＢＭＳサービスに動的に割り当てられる。
【００３１】
図３はマルチキャスト／ブロードキャストサービスのための無線リソースを統制するために使用される方法３００のフローチャートの一例である。説明の実施例では、（３０５において）グローバル無線リソース割当て戦略が提供又は準備される。例えば、グローバル無線リソース割当て戦略は特定のネットワーク内のセル全てに提供される。予め定義された無線リソース割当て戦略が準備処理の一環としてｅノードＢ間で確立されてもよい。（３０５において）グローバル無線リソース割当て戦略を予め準備しておくことによって、グローバルマルチキャスト／ブロードキャストサービスを提供するのに必要であったような長く非効率なハンドシェークを省略できる。しかし、本開示の利益を受けた当業者であれば、（３０５の）無線リソース割当て戦略を予め準備しておくことは本発明の実施には不要であることが分かるはずである。
【００３２】
（３１０において）ブロードキャスト／マルチキャストサービスのためのリクエストが受信される。一実施例では、マルチキャスト／ブロードキャストサービスのためのリクエストがアクセス端末（リクエストに応じてマルチキャスト／ブロードキャストサービスを受信するクラスタ又はグループの一員となるもの）から受信される。（３１５において）システムはマルチキャスト／ブロードキャストサービスのリクエストがローカルサービス又はグローバルサービスか否かを判断する。リクエストされたマルチキャスト／ブロードキャストサービスがローカルサービスでない場合、（３２０において）マルチキャスト／ブロードキャストサービスが、予め準備されたグローバル無線リソース割当て戦略に従って提供される。一実施例では、ｅノードＢはグローバル無線リソース割当て戦略の受信及び／又は了承をアクノリッジ応答する。
【００３３】
リクエストされたマルチキャスト／ブロードキャストサービスがローカルサービスの場合、（３２０において）交渉された戦略に従ってマルチキャスト／ブロードキャストサービスを提供する前に、（３２５において）１以上のｅノードＢがローカル無線リソース割当て戦略を交渉する。例えば、いずれかのｅノードＢがｅ−ＭＢＭＳサービスリクエストをアクセス端末から受信した場合、ｅノードＢは相互ＲＲＭ統制プロトコルをトリガする。リクエストされたｅ−ＭＢＭＳサービスがクラスタ内に存在する場合、アクセス端末は呼のセットアップ中にｅ−ＭＢＭＳサービスのユーザグループに追加される。移動管理エンティティ（ＭＭＥ）における移動管理機能は、関連するｅ−ＭＢＭＳ・ＩＤを割り当てることによってアクセス端末を追跡する。リクエストされたｅ−ＭＢＭＳサービスが新しいサービスの場合、ｅノードＢは、新たなｅ−ＭＢＭＳサービスをセットアップするために１以上のスケジューリング統制メッセージをクラスタ内の全ｅノードＢに送信する。代替の実施例では、リソース戦略割当ての手順は種々のｅノードＢ間でのアクノリッジメントの交換を含んでいてもいなくてもよい。
【００３４】
無線リソース割当て戦略は修正又は再構成することができる。説明の実施例では、アクセス端末が再構成リクエストを出す。（ステップ３３０において）再構成リクエストが受信された場合、（ステップ３２５において）無線リソース割当て戦略が再交渉される。（３２０において）マルチキャスト／ブロードキャストサービスが再交渉された戦略に従って提供される。例えば、アクセス端末がｅ−ＭＢＭＳサービス再構成リクエストを送信した場合、再構成がトリガされる。ｅノードＢが再構成リクエストを受信し、再構成のためのＲＲＭ統制メッセージを全ｅノードＢに送信する。ＲＲＭ統制メッセージはピアトゥピア通信、一対多通信又はブロードキャストとして送信される。
【００３５】
１以上のアクセス端末に提供されているマルチキャスト／ブロードキャストサービスは、（３３５において）終了メッセージが受信された場合に終了される。例えば、サービス終了リクエスト、又はアクセス端末がマルチキャスト／ブロードキャストサービスの終了をリクエストすることを示す他の何らかのメッセージがアクセス端末から受信され、又はアクセス端末がマルチキャスト／ブロードキャストサービスに関連するサービスエリアから出て行く場合に、ｅノードＢはｅ−ＭＢＭＳサービスを終了するためにＲＲＭ統制メッセージを送出する。他のユーザが現在ユーザグループ内にいない場合、スケジューリング統制は予め構成されたスケジューリング戦略及びその関連するリソースを相互ＲＲＭ通信を介して解除することもできる。（３４０において）方法３００は終了する。
【００３６】
発明は、異なった態様であってもここでの教示の利益を受ける当業者に明らかな均等的な態様で修正及び実現されることができ、それゆえ、上述した特定の実施例は例示説明のみを目的とするものである。さらに、特許請求の範囲に記載されたもの以外に、ここに示した構成又は設計の詳細への限定は意図されていない。従って、上述した特定の実施例は変更又は修正することができ、全てのそのような変形例が本発明の範囲及び精神の範疇であるとみなされることは明らかである。従って、権利範囲は特許請求の範囲に記載される。
【図面の簡単な説明】
【００３７】
【図１】図１は本発明の一実施例によるユニバーサル移動体電話システム（ＵＭＴＳ）のような従来技術の通信システムのブロック図である。
【図２Ａ】図２Ａは、本発明がアプリケーションを見出すロング・ターム・エボリューション（ＬＴＥ）ＵＭＴＳのような通信システムの一部分のブロック図である。
【図２Ｂ】図２Ｂは、本発明がアプリケーションを見出すロング・ターム・エボリューション（ＬＴＥ）ＵＭＴＳのような通信システムの一部分のブロック図である。
【図３】図３は本発明による、マルチキャスト／ブロードキャストサービスに対する無線リソースを統制するために使用される方法の一実施例のフローチャートである。
【図１】
2009540760.tif 000003
【図２Ａ】
2009540760.tif 000004
【図２Ｂ】
2009540760.tif 000005
【図３】
2009540760.tif 000006
【国際調査報告】
2009540760.tif 000007
2009540760.tif 000008
2009540760.tif 000009